【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
けらばを有する屋根の左右の袖部に葺設できる上面部（２）と、その上面部から葺設状態において略直角に垂下する側面部（３）とからなり、横断面が略逆L字又は略L字形であって、左右の袖部にそれぞれ葺設された袖瓦の断面が、前記上面部と前記側面部との成す角の二等分線を軸に略線対称となる袖瓦（１）において、前記上面部と前記側面部に設けた長さ方向に延びる切り欠き溝（１０）が頭見付部（４）まで連続していることを特徴とする袖瓦。
【請求項２】
上下位の複数段に葺設される袖瓦において、上位袖瓦の側面部（３Ｂ）に形成した切り欠き溝（１０）が雨水を受けたとき、その雨水が前記切り欠き溝から頭見付部（４Ｂ）に形成した頭見付側雨受け部（１２Ｂ）を介して、袖瓦（１）の側面部（３）に形成された切り欠き溝（１０）に流下するように、突起（６）が切り欠き溝（１０）にはまり込み、上位袖瓦の側面部（３Ｂ）と上位袖瓦の頭見付部（４Ｂ）及び袖瓦の側面部（３）の各々の切り欠き溝（１０Ｂ，１０）を連接することを特徴とする袖瓦。
【請求項３】
屋根に袖瓦が葺設された状態において、雨受け部（１１）の頭見付部（４）寄りの部位が、尻寄りの部位より低位になっている請求項１又は請求項２記載の袖瓦。
【請求項４】
屋根に袖瓦が葺設された状態において、頭見付側雨受け部（１２）は、下位袖瓦（Ａ）の雨受け部（１１Ａ）と同一高さもしくは下位袖瓦の雨受け部よりも高い位置に位置している請求項１または２記載の袖瓦。
【請求項５】
雨受け部（１１）は、開口端（１３）から底部（１４）へ向かって下向きの角度が付いている請求項１又は請求項２記載の袖瓦。
【請求項６】
頭見付側雨受け部（１２）は、側面部（３）から下位袖瓦（Ａ）の側面部（３Ａ）に向かって下向きの角度が付いている、もしくは水平となっている請求項１または２記載の袖瓦。
【手続補正２】
【補正対象書類名】明細書
【補正対象項目名】０００２
【補正方法】変更
【補正の内容】
【０００２】
従来から、屋根の袖部を納める方法として種々のものが知られている。例として、特許文献１に記載されている図１０のように、けらばの上部及び側部を覆うように葺設される袖瓦は、垂れの下端側に下方を向いた段差面を垂れの全長に亘って設けられている。さらにこの段差面は、内隅と外隅が鋭角となるような切り欠きが設けられている。よって、垂れに降りかかった雨水は、段差面に入り込まず外隅で落下し、外隅と破風板の間には少なくとも垂れの肉厚分の間隔が確保され、強風時でなければ雨水は破風板に付着することはない。
【手続補正３】
【補正対象書類名】明細書
【補正対象項目名】０００４
【補正方法】変更
【補正の内容】
【０００４】
なお、特許文献１発明とは別に、袖瓦本体に雨垂れ防止機能を備えた袖瓦として特許文献２記載の発明が知られている。この特許文献２に記載されている図１１によると、（特許文献２記載の）袖瓦は、本体部と本体部から略直角に垂下される垂下部とからなる縦断面が略逆Ｌ字をなし、垂下部の外側下端部に設けた細桟状部材が１段上位に葺設される袖瓦の垂下部から落下してゆく雨水を受け止める構造をしている。これにより、垂下部に集水された雨水を雨垂れとして落下させることがなく、雨垂れ音の抑止により住環境の向上が可能になる効果を発揮する。
【手続補正４】
【補正対象書類名】明細書
【補正対象項目名】００１７
【補正方法】変更
【補正の内容】
【００１７】
さらに、側面部に形成された雨受け部は、開口端から底部に向かって下向きの角度が付いている、もしくは水平となっているという手段を採用することにより、任意の袖瓦の側面部を流下してきた雨水は、雨受け部より外側へ溢れさせることなく切り欠き溝内に留めておくことができる。
【手続補正５】
【補正対象書類名】明細書
【補正対象項目名】００１８
【補正方法】変更
【補正の内容】
【００１８】
そのうえ、頭見付側雨受け部は、下位袖瓦の切り欠き溝に向かって下向きの角度が付いている、もしくは水平となっているという手段を採用することにより、任意の袖瓦の雨受け部から流下してきた雨水を、頭見付側雨受け部に滑らかに流下させることができる。
【手続補正６】
【補正対象書類名】明細書
【補正対象項目名】００２０
【補正方法】変更
【補正の内容】
【００２０】
【図１】本発明に係る袖瓦の葺設状態を示す斜視図である。
【図２】本発明に係る袖瓦の水平での葺設状態を表した右側面図である。
【図３】図２記載のイ−イ断面図である。
【図４】図２記載のロ−ロ断面図である。
【図５】本発明に係る袖瓦の左側面図である。
【図６】本発明に係る袖瓦の正面図である。
【図７】図６記載の正面図の一部を拡大した要部拡大図である。
【図８】本発明に係る袖瓦の葺設状態の一部を拡大した斜視図である。
【図９】本発明における袖瓦の他の実施例である。
【図１０】従来技術のケラバ構造の断面図である。
【図１１】従来技術の袖瓦の葺設状態を示した斜視図である。
【手続補正７】
【補正対象書類名】明細書
【補正対象項目名】００２１
【補正方法】変更
【補正の内容】
【００２１】
図１から図９を参照しながら、本発明を実施するための最良の形態について説明する。本発明における袖瓦１とは、屋根の切妻など住居本体部よりも張り出した場所で、一般的にけらばや袖部などと呼ばれる箇所に葺設される役物瓦であり、特に指定しない限りけらばの任意の位置に葺設されるものをいう。上面部２及び側面部３は、右側の袖部に葺設した袖瓦１を構成する部分であって、上面部２はけらばの上面を、側面部３はけらばの側面を覆い被せる役割を有する。本発明は兼用可能な袖瓦であり、左側の袖部に葺設された袖瓦の場合は、図中や上述又は以下に示した上面部２と側面部３とは入れ替わる（逆になる）部位である。頭見付部４は、袖瓦１の葺設状態における最も水下側の面であり、尻端部５は袖瓦１の長さ方向に対して頭見付部４と反対に位置し、葺設状態における最も水上側の面である。なお、葺設状態における袖瓦の水下側を単に頭側、同水上側を単に尻側ともいう。突起６は、側面部３の内側に突設され、後述する切り欠き溝１０と互いにはまり合う部位である。このはまり合いにより、水上側より流下した雨水は確実に切り欠き溝に呼び込める。傾斜面７は、上面部２及び側面部３に設けた長さ方向に長い切り欠き溝１０の最も尻端部５寄りに設けてあって、風雨時等に雨水が葺設した袖瓦１同士の隙間から袖瓦１の内側まで入り込むことを防止する部位である。端面８は、上面部２及び側面部３の幅方向の最も端であって、例えば右の袖部に葺設された袖瓦１の頭側を正面としたときに、最も左又は下となる面である。切り欠き溝１０は、上面部２又は側面部３の端面８寄りに形成され、尻端部５付近から長さ方向に長く延び、頭見付部４の最も内側まで連続している部位で、上面部２や側面部３、頭見付部４に対し１段引っ込んだ略樋状の部位である。雨受け部１１は、略樋状の切り欠き溝１０のうち、端面８寄りの面状の部位であって、降雨時等に側面部３が受けた雨水が下方に流下したときに前記雨水を端面まで流下させることなく受け止める部位をいう。頭見付側雨受け部１２とは、頭見付部４に形成され、側面部３に設けられた切り欠き溝１０の雨受け部１１と同様の機能を有する部位である。開口端１３は、雨受け部１１の最も外側であって、雨受け部と同様長さ方向に長く延び、頭見付側雨受け部１２の最内側まで連続しているものをいい、底部１４は、雨受け部１１の最も内側であって、開口端と１３と同様に長く延び、頭見付側雨受け部１２の最内側まで連続している部位をいう。
【手続補正８】
【補正対象書類名】明細書
【補正対象項目名】００２２
【補正方法】変更
【補正の内容】
【００２２】
袖瓦１の基本的構造は、図１〜図４に示すように、上面部２と側面部３が概ねＬ字又は逆Ｌ字となるような、従来から存在する袖部に葺設される袖瓦と同様である。野地板又は桟瓦（図示なし）の上部に葺設される上面部と、その上面部の一側方から略直角に垂下される側面部とからなり、雨仕舞のため袖瓦１の尻側と上位袖瓦１Ｂの頭側は重なり合っている。また、上面部２と側面部３は、それぞれ頭見付４と尻端部５が平行となる概ね台形状をなし、図５に示すように頭見付部幅Ｈ１は尻端部幅Ｈ２に対し袖瓦１の頭見付の厚さＨ３分だけ高くなっている。この頭見付厚さが好ましい例であり、袖瓦１を複数段葺設した状態において、端面８は上位袖瓦１Ｂの端面８Ｂ又は下位袖瓦１Ａの端面８Ａと一直線をなすように揃うので、全体としてシャープな外観となり、意匠的に見栄えも良い。また、図６に示すように、右側の袖部に葺設された袖瓦は図中の二点鎖線を軸に線対称となっているため、図６の状態より幅方向に９０度左回転させるだけで、左側の袖部に葺設できる状態となる。
【手続補正９】
【補正対象書類名】明細書
【補正対象項目名】００２３
【補正方法】変更
【補正の内容】
【００２３】
本発明の袖瓦１は、図８に示すように上下位に複数段葺設した状態において、袖瓦１の切り欠き溝１０の尻側と１段上位に葺設される袖瓦１Ｂの突起６Ｂの頭側が葺き足調整可能な状態で重なり合う構造となっている。複数段葺設した袖瓦において、袖瓦１の側面部３に設けた略樋状の切り欠き溝１０と、頭見付部４の内側に突起６を設け、切り欠き溝１０に上位袖瓦１Ｂの突起６Ｂがはまり込むことにより、袖瓦の重なり部分における樋状の隙間は生じない。さらに、切り欠き溝１０と突起６がはまり込むことにより、上位袖瓦１Ｂの雨受け部１１Ｂより流れてきた雨水を頭見付側雨受け部１２Ｂを経て袖瓦１の雨受け部１１へ呼び込むことができる。
【手続補正１０】
【補正対象書類名】明細書
【補正対象項目名】００２４
【補正方法】変更
【補正の内容】
【００２４】
上記のように袖瓦１の重なり部分の隙間は、図４や図８に示すように、切り欠き溝１０と上位袖瓦１Ｂの突起６Ｂとのはまり込みにより小さくなるが、特に上面部２においては、けらばに対し正面方向より風雨を伴った場合、袖瓦１に設けた切り欠き溝１０に降りかかった雨水は、風の影響により袖瓦１の重なり部分へ入り込む不安がある。この不安を払拭させるため、切り欠き溝１０の尻端部５寄りに、水返しとして傾斜面７を設けることで、雨水が切り欠き溝１０と突起６Ｂとの間の隙間より袖瓦１の内側まで浸入したとしても、けらば内部まで浸水させることがなく、ひいては屋内への漏水を招くことはない。
【手続補正１１】
【補正対象書類名】明細書
【補正対象項目名】００２６
【補正方法】変更
【補正の内容】
【００２６】
本発明の雨受け部１１は、図７に示すように袖瓦１の葺設状態において尻側の部位よりも頭側の部位が低位であることが望ましい。これにより、側面部３の任意の箇所に降りかかった雨水が切り欠き溝１０を流下し、雨受け部１１で流下を抑制されたとき、前記雨水は雨受け部１１上に留まることなく、頭側へ流下する方向を変える。本発明の雨受け部１１、袖瓦１の葺設状態において頭側が尻側よりも低位になっていればよく、袖瓦１を水平状態としたときに、雨受け部１１の尻側が頭側より低位になっていてもよい。
【手続補正１２】
【補正対象書類名】明細書
【補正対象項目名】００２７
【補正方法】変更
【補正の内容】
【００２７】
さらに、雨受け部１１は地面に対して水平、もしくは開口端１３から底部１４に向かって下向きの角度が付いていることが望ましい。これにより、側面部３に降りかかった雨水が側面部３を流下し雨受け部１１に達したとき、前記雨水は、雨受け部１１よりも側面部３の外側へ溢れさせることなく雨受け部１１で留めておくことができる。
【手続補正１３】
【補正対象書類名】明細書
【補正対象項目名】００２９
【補正方法】変更
【補正の内容】
【００２９】
また、頭見付側雨受け部１２は、図９に示すように、雨受け部１１側から下位袖瓦１Ａの雨受け部１１Ａに向かって下向きの角度が付いていることが望ましい。これにより、軒先に近い袖瓦など雨受け部１１を流下する雨水は、その流量が増加したとしても雨受け部１１から頭見付側雨受け部１２へ回りこみ易くすることができる。
【手続補正１４】
【補正対象書類名】図面
【補正対象項目名】全図
【補正方法】変更
【補正の内容】
【図１】
2010190003.tif 000001
【図２】
2010190003.tif 000002
【図３】
2010190003.tif 000003
【図４】
2010190003.tif 000004
【図５】
2010190003.tif 000005
【図６】
2010190003.tif 000006
【図７】
2010190003.tif 000007
【図８】
2010190003.tif 000008
【図９】
2010190003.tif 000009
【図１０】
2010190003.tif 000010
【図１１】
2010190003.tif 000011